(57)【要約】【課題】  十分な強度を有し、髪束から抜け落ちにくく、安全性に優れ、操作が簡単で、１個でも崩れにくい、巻上げ髪を作るための装飾性の高いヘアピンを提供する。【解決手段】  強度の強い一本の線材を成形し、一対の直線の差し込み体（２、２）とそれら同士を連結するＵ字体（１）の部分から形成される。前記Ｕ字体（１）は先端部の前記差し込み体（２、２）に向かうにつれて内側に狭まり、その差し込み体は突端部（３、３）に向けて外側に広がる。突端部は丸みを帯びている。断面は四角形とし、前記Ｕ字体（１）の部分に装飾部品が着脱可能である。【選択図】図１
2007203007.tif 000002
【特許請求の範囲】
【請求項１】
一個で、巻き上げた髪を長時間固定できるヘアピン。
【請求項２】
強度の強い一本の線材を成形し、一対の直線の差し込み体（２、２）とそれら同士を連結するＵ字体（１）の部分から形成されていることを特徴とする請求項１記載のヘアピン。
【請求項３】
平面視において、前記Ｕ字体（１）は前記差し込み体（２、２）に向かうにつれて内側に狭まり、その差し込み体は突端部（３、３）に向けて外側に広がることを特徴とする請求項１、２記載のヘアピン。
【請求項４】
前記差し込み体の突端部が丸みを帯びていることを特徴とする請求項１、２、３記載のヘアピン。
【請求項５】
前記Ｕ字体の部分に装飾部品が着脱可能であることを特徴とする請求項１、２、３、４記載のヘアピン。
【発明の詳細な説明】
【技術分野】
【０００１】  この発明は、ヘアピンに関し、より特定的には、Ｕ字状ヘアピンに関する。
【背景技術】
【０００２】  従来、髪束の固定等のために、一般的にオニピンと呼ばれる図７及び図８に示すようなＵ字状ヘアピンが広く使用されている。かかるヘアピンは、巻き上げた髪束を固定するために、通常、複数個使用され、髪束の外側から差し込まれ、その状態のままでひねられたりして固定される。【０００３】
【特許文献１】特開２００３−２５０６２９号公報
【発明の開示】
【発明が解決しようとする課題】
【０００４】  図７及び図８に示すように、従来のＵ字状ヘアピンには、断面が細く、強度の弱い線材が使われているため、ヘアピン自体が変形しやすく、１個では巻き上げた髪を長時間固定できない。【０００５】  また、かかるヘアピンの差し込み体は、先端方向に平行に形成されているため、髪束から抜け落ちやすく、巻き上げた髪が崩れやすい。【０００６】  図７に示すように、従来のＵ字状ヘアピンでは、差し込み体の突端部（４）は切りっ放しである。その結果、かかるヘアピンを髪束に差し込む際に、その突端部（４）が当たることによって、頭皮が傷つき、髪が傷む危険性がある。【０００７】  それゆえに、この発明の主たる目的は、十分な強度を有し、髪束から抜け落ちにくく、安全性に優れ、操作が簡単で、１個でも崩れにくい、巻上げ髪を作るための装飾性の高いヘアピンを提供することである。
【課題を解決するための手段】
【０００８】  上述の目的を達成するために、以下のような手段を採用した。本件ヘアピンは、強度の強い線材を用い、従来のＵ字状ヘアピンよりも断面を太くすることにより、髪が束ねる前の状態に戻ろうとすることによる変形を防いでいる。【０００９】  本件ヘアピンは、一本の線材を成形し、Ｕ字体（１）及び先端部が外側に広がった一対の差し込み体（２、２）から形成されていることを特徴とする。【００１０】  差し込み体（２、２）が外側に広がっているため、本体ヘアピンが髪束から抜け落ちるのを効果的に防止し、理想的な巻上げ髪を長時間維持することができる。【００１１】  本件ヘアピンは、髪束に差し込んだ後、髪の中で突端部（３、３）寄りの部分を支点として折り返すように動かすことによって、巻上げ髪を固定させる。【００１２】  前記のとおり固定された髪は、束ねる前の状態に戻ろうとするが、本件ヘアピンに十分な強度と長さがあるため、反発力が働き、髪束は固定される。【００１３】  本件ヘアピンの差し込み体（２、２）の突端部（３、３）は、丸みを帯びているため、それが頭皮や髪に当たったとしても傷つくことがなく、安全に使用することができる。【００１４】  さらに、本件ヘアピンに装飾が付けられていることが美的観点から好ましい。
【発明の効果】
【００１５】  この発明によれば、本件ヘアピンは、髪束から抜け落ちにくく、髪束をしっかりと固定できるので、１個で巻上げ髪を長時間維持できる。同様の巻上げ髪にするためには、通常、美容院で髪をセットすることが多いと思われるところ、本件ヘアピンを用いれば、一個で何度でも巻上げ髪にすることができ、これは大変経済的である。【００１６】  誰でも、簡単かつ頭皮や髪を傷つけることなく、安全に巻上げ髪を作ることができる。
【発明を実施するための最良の形態】
【００１７】  以下、図面に基づき、本発明の実施に係る形態について説明する。図２に示すように、本件ヘアピンは、従来のＵ字状ヘアピンより、断面が太い線材を素材とする。【００１８】  本件ヘアピンは、主に、貴金属等の強度の強い線材を素材とする。【００１９】  本件ヘアピンは、図１に示すように、一本の線材を成形し、一対の直線の差し込み体（２、２）とそれら同士を連結するＵ字体（１）の部分から形成される。一本の線材を成形することにより、強度が保持される。【００２０】  図１に示すように、Ｕ字体（１）は、先端部の差し込み体（２、２）に向かうにつれて、内側に狭まり、差し込み体（２、２）は、突端部（３、３）に向けて外側に広がる。【００２１】  図１及び図３に示すように、突端部（３、３）は、丸みを帯びている。【００２２】  本件ヘアピンは、図４、図５、図６に示すように、断面視において内側が四角形の空洞を有する装飾部品を装着して使用することが可能であり、本件ヘアピンの断面を四角形とすることにより、装飾部品は回転せず、固定される。また、図１１に示すように、装飾部品に様々な宝石や装飾を施せば、多様な外観を演出することができる。【００２３】  本件ヘアピンは、特許請求の範囲を逸脱しない範囲で、種々の実施形態を採りうる。
【実施例】
【００２４】  本件ヘアピンの装着方法について、図９に基づき説明する。
本件ヘアピンを装着する場合、まず（Ａ）のように髪束をねじり上げ、髪をまとめる。この場合、まとめた髪をゴムで縛っておくと、より巻上げ髪が作りやすくなる。まとめた髪束を（Ｂ）のように折り返し、（Ｃ）のように折り返した部分を髪の内側にたたみ込むようにまとめる。このようにまとめた髪に、（Ｄ）のように本件ヘアピンを差し込む。（Ｅ）のように差し込んだ本件ヘアピンを、髪束の中で、突端部（３、３）寄りの部分を支点として折り返すように動かす。さらに、（Ｆ）のように、本件ヘアピンを髪束の中に深く差し込み、固定させる。（以上図９参照）
以上の方法で、本件ヘアピンを使用して巻上げ髪にした完成図を図１０に示す。（ａ）、（ｂ）、（ｃ）等のような装飾を施した部品の利用例を図１１に示す。
【産業上の利用可能性】
【００２５】  装飾的で安全であるにもかかわらず、成形が容易で、かつ線材の特性を勘案しても、製造コストが合理的に抑えられることにより、広く普及することが見込まれる。【００２６】  通常、巻上げ髪にするためには、美容院で髪をセットすることが多いと思われるところ、本件ヘアピンを用いれば、一個で何度でも巻上げ髪にすることができ、大変経済的である。
【図面の簡単な説明】
【００２７】
【図１】ヘアピンの平面図
【図２】ヘアピンのＡ−Ａ断面図
【図３】ヘアピンの側面図
【図４】装飾部品の断面図
【図５】装飾部品の側面図
【図６】装飾部品の斜視図
【図７】従来のヘアピンの平面図
【図８】従来のヘアピンの平面図
【図９】巻上げ髪用ヘアピンを髪に装着する方法の説明図
【図１０】巻上げ髪用ヘアピンを髪に装着した完成図で、装着者の後方から見た図
【図１１】装飾部品の利用例
【符号の説明】
【００２８】  １  Ｕ字体
２  差し込み体
３  突端部
４  従来のヘアピン突端部
【図１】
2007203007.tif 000003
【図２】
2007203007.tif 000004
【図３】
2007203007.tif 000005
【図４】
2007203007.tif 000006
【図５】
2007203007.tif 000007
【図６】
2007203007.tif 000008
【図７】
2007203007.tif 000009
【図８】
2007203007.tif 000010
【図９】
2007203007.tif 000011
【図１０】
2007203007.tif 000012
【図１１】
2007203007.tif 000013